(57)【要約】【課題】商品を入れた多数のカプセルの中から購入操作に基づいて無作為にカプセルを選択し払出し販売するカプセル自動販売機における、カプセルの購入および販売を促進させる。【解決手段】カプセル自動販売機が、商品を入れた複数個のカプセルを収容するケースと、購入操作１回当たりのカプセルの払出数を販売者が１個以上の数に変更可能に設定する個数設定手段と、購入操作に基づいてケース内から設定した数のカプセルを無作為に取出口に払出す払出手段を備える。【選択図】図１
2007279938.tif 000002
【特許請求の範囲】
【請求項１】
商品を入れた複数個のカプセルを収容するケースと、
購入操作１回当たりのカプセルの払出数を販売者が１個以上の数に変更可能に設定する個数設定手段と、
購入操作に基づいてケースから設定した数のカプセルを無作為に取出口に払出す払出手段と
を備えている、ことを特徴とするカプセル自動販売機。
を特徴とする請求項１記載のカプセル自動販売機。
【請求項２】
ケース内のカプセルが、特定の商品を入れた複数種類の特定カプセルを含み、
特定カプセルの払出しおよび種類を検知する検知手段と、
検知手段によって検知された特定カプセルの払出しおよび種類を知らせる報知手段と
を備えている、ことを特徴とする請求項１記載のカプセル自動販売機。
【請求項３】
検知手段が、
カプセルのケースからカプセルの取出口につながる排出路に設置された検知体と、
この検知体の出力に反応する特定カプセルに入れた媒体と
を備え、
検知体が、特定カプセルの種類ごとに違えて設定した周波数の電磁波を出力し、媒体からの反応により特定カプセルの種類を検知する、ことを特徴とする請求項２記載のカプセル自動販売機。
【請求項４】
毎回の購入終了ごとに抽選を行い当選時には当選音を奏でるとともに無償で所定の数のカプセルを取出口に払出す抽選手段
を備えている、ことを特徴とする請求項１から３までのいずれかに記載のカプセル自動販売機。
【請求項５】
抽選手段が、
当選確率を販売者が変更可能に形成されている、ことを特徴とする請求項４記載のカプセル自動販売機。
【請求項６】
請求項５記載のカプセル自動販売機を複数台一群に設置するとともに、複数台の中に確率設定手段による当選確率の設定を変更したカプセル自動販売機を含み、
さらにいずれかのカプセル自動販売機の当選時には、他の購入操作中を除く全てのカプセル自動販売機においても当選音を奏でる、ことを特徴とするカプセル自動販売機。
【発明の詳細な説明】
【技術分野】
【０００１】
本発明は、商品を入れたカプセルの自動販売機に関する。
【背景技術】
【０００２】
商品を入れた多数のカプセルをケースに収容し、金銭の投入など所定の操作が行われると無作為にカプセルが選択され取出口に払出されるとともに、多数のカプセルに、投入した金額以上の商品の入った「大当たり」のカプセルが混入されている、カプセル自動販売機がある（例えば、特許文献１参照）。
【特許文献１】特開平９−２８２５３８号公報（第１図）
【発明の開示】
【発明が解決しようとする課題】
【０００３】
上述のカプセル自動販売機によれば、購入者は「大当たり」のカプセルの入手を楽しむことができ、販売者はカプセルの販売を促進させることができる。しかしながら購入および販売をさらに促進できるカプセル自動販売機の開発が望まれている。
【０００４】
本発明は上記事実に鑑みてなされたもので、その技術的課題は、商品を入れた多数のカプセルの中から購入操作に基づいて無作為にカプセルを選択し払出し販売するカプセル自動販売機における、カプセルの購入および販売を促進できるカプセル自動販売機を提供することである。
【課題を解決するための手段】
【０００５】
上記技術的課題を解決するカプセル自動販売機として、請求項１記載の発明は、商品を入れた複数個のカプセルを収容するケースと、購入操作１回当たりのカプセルの払出数を販売者が１個以上の数に変更可能に設定する個数設定手段と、購入操作に基づいてケース内から設定した数のカプセルを無作為に取出口に払出す払出手段とを備えている、ことを特徴とするカプセル自動販売機である。
【０００６】
そして、購入操作１回当たりのカプセルの払出数を、例えば２個、あるいは３個、あるいは４個のように、販売者が任意に変えることができるようにする。
【０００７】
請求項２記載の発明は、請求項１記載のカプセル自動販売機において、ケース内のカプセルが、特定の商品を入れた複数種類の特定カプセルを含み、特定カプセルの払出しおよび種類を検知する検知手段と、検知手段によって検知された特定カプセルの払出しおよび種類を知らせる報知手段とを備えている、ことを特徴とするカプセル自動販売機である。
【０００８】
そして、複数種類の特定カプセル、例えば「大当たり」「中当り」を用意するとともに、購入者に、特定カプセルが払出されること、およびその種類を知らせる。
【０００９】
請求項３記載の発明は、請求項２記載のカプセル自動販売機において、検知手段が、カプセルのケースからカプセルの取出口につながる排出路に設置された検知体と、この検知体の出力に反応する特定カプセルに入れた媒体とを備え、検知体が、特定カプセルの種類ごとに違えて設定した周波数の電磁波を出力し、媒体からの反応により特定カプセルの種類を検知する、ことを特徴とするカプセル自動販売機である。
【００１０】
そして、特定カプセルに入れた媒体、例えばアンテナに、検知体から発信した特定カプセルの種類ごとに異なる周波数の電波を発信し、その共振周波数を検知し、特定カプセルであること、およびその種類を検知する。
【００１１】
請求項４記載の発明は、請求項１から３までのいずれかに記載のカプセル自動販売機が、毎回の購入終了ごとに抽選を行い当選時には当選音を奏でるとともに無償で所定の数のカプセルを取出口に払出す抽選手段を備えている、ことを特徴とするカプセル自動販売機である。
【００１２】
そして、抽選手段を備えて、当選が出た場合には、当選音で知らせカプセルを例えば１個無償で取出口に払出す。
【００１３】
請求項５記載の発明は、請求項４記載のカプセル自動販売機の抽選手段が、当選確率を販売者が変更可能に形成されている、ことを特徴とするカプセル自動販売機である。
【００１４】
そして、当選確率を、例えば０％、１％、２％、１０％のように、販売者が選択し変えることができるようにする。
【００１５】
請求項６記載の発明は、請求項５記載のカプセル自動販売機を複数台一群に設置するとともに、複数台の中に確率設定手段による当選確率の設定を変更したカプセル自動販売機を含み、さらにいずれかのカプセル自動販売機の当選時には、他の購入操作中を除く全てのカプセル自動販売機においても当選音を奏でる、ことを特徴とするカプセル自動販売機である。
【００１６】
そして、複数台を一群にしたカプセル自動販売機の中に、当選確率を変えたカプセル自動販売機を含め、さらに、いずれかのカプセル自動販売機が当選した時には、他の購入操作中を除く全てのカプセル自動販売機も当選音を奏でるようにする。
【発明の効果】
【００１７】
請求項１記載のカプセル自動販売機は、購入１回当たりのカプセルの払出数を販売者が１個以上の任意の数に変更設定できるので、１回当たりのカプセルの払出数を、例えば１個から単価を下げたカプセル２個にすることにより、購入者は１回の購入操作で複数のカプセルを楽しむことができ、販売者は購入価格に合わせて種々の商品を用意でき、カプセルの購入および販売を促進させることができる。
【００１８】
請求項２記載のカプセル自動販売機は、カプセルが複数種類の特定カプセルを含むとともに、その払出しおよび種類の検知手段と報知手段を備えているので、購入者は異なった特定カプセル、例えば「大当たり」「中当り」などを楽しむことができ、またカプセルを取出す前に特定カプセルの当ったことが知らされる。したがって、カプセルの購入および販売を促進させることができる。
【００１９】
請求項３記載のカプセル自動販売機は、特定カプセルの、払出しおよび種類を、周波数を変えた電磁波を利用した検知体と媒体により、容易に、また購入者にはわからない手段で検知することができる。
【００２０】
請求項４記載のカプセル自動販売機は、毎回の購入終了ごとに抽選を行う抽選手段によって、当選の場合には、当選音で購入者に知らせ、カプセルを例えば１個取出口に無償で払出すので、カプセルの購入および販売を促進させることができる。
【００２１】
請求項５記載のカプセル自動販売機は、抽選手段が当選確率を販売者が変更を可能に形成され、販売者は、購入および販売の状況などによって、当選確率を、例えば０％、１％、２％、１０％のように任意に変更できるので、カプセルの購入および販売を促進させることができる。
【００２２】
請求項６記載のカプセル自動販売機は、カプセル自動販売機を複数台一群に設置し、その中に当選確率の設定を変えたカプセル自動販売機を含め、さらにいずれかのカプセル自動販売機が当選した時には、他の購入操作中を除く全てのカプセル自動販売機も当選音を奏でるようにして、カプセルの購入および販売を促進させることができる。
【発明を実施するための最良の形態】
【００２３】
以下、本発明に従って構成されたカプセル自動販売機について、好適実施形態を図示している添付図面を参照して説明する。
【００２４】
図１を参照して、先ずカプセル自動販売機の概要について説明する。
【００２５】
番号２で示すカプセル自動販売機は、商品を入れた複数個のカプセルＫを収容するケース４と、購入操作１回当たりのカプセルＫの払出数を販売者が１個以上の数に変更可能に設定する個数設定手段６と、購入操作に基づいてケース４から設定した数のカプセルＫを無作為に取出口８に払出す払出手段１０を備えている。
【００２６】
ケース４内のカプセルＫは、特定の商品を入れた複数種類の特定カプセルＫＳ含み、カプセル自動販売機２は、特定プセルＫＳの払出しおよび種類を検知する検知手段１２と、検知手段１２によって検知された特定カプセルＫＳの払出しおよび種類を知らせる報知手段１４を備えている。
【００２７】
カプセル自動販売機２はさらに抽選手段１６を備えている。抽選手段１６は、毎回の購入終了ごとに抽選を行い当選時には報知手段１４に含まれるスピーカー１４ａによって当選音を奏でるとともに無償で所定の数のカプセルＫを取出口８に払出す。
【００２８】
次に、カプセル自動販売機２についてさらに詳細に説明する。
【００２９】
カプセル自動販売機２は上下に延びる直方体状に形成され、基台５の上にケース４を備えている。ケース４は、収容したカプセルＫが外から見えるように前後左右の周壁が透明アクリル板によって形成されている。ケース４の上面には、開閉自在な蓋４ａを有した開口４ｂを備え、開口４ｂからケース４内にカプセルＫが投入され収容される。蓋４ａは閉じた状態に施錠を可能に形成されている。
【００３０】
基台５の前面には、開閉および施錠が可能なパネル５ａが備えられている。パネル５ａには、金銭投入口１８、電源表示ランプ２２、スタートボタン２０、複数個（４個）のランプからなる払出個数表示ランプ２６、エラー表示ランプ２４、ならびに前記の取出口８およびスピーカー１４ａが備えられている。
【００３１】
金銭投入口１８は所定の金額の金銭が投入されたか否かを識別する金銭識別機を備え、所定の金額が投入されるとスタートボタン２０の内蔵ランプが点滅し、この状態でスタートボタン２０を押すと払出手段１０が作動する。
【００３２】
基台５の中に、払出手段１０の要部およびコントロールユニット２８が備えられ、コントロールユニット２８は、前記の個数設定手段６、抽選手段１６を備えている。
【００３３】
図１とともに図２を参照して説明する。払出手段１０は、カプセルＫを収容するケース４の底部に回動を可能に設置されケース４内のカプセルＫを無作為に受け入れる受入口３０ａを複数個（４個）有した回転体３０と、回転体３０を継手３１を介して回動させる電動モーター３２と、回転体３０の下方に位置し回動する回転体３０の合致した受入口３０ａのカプセルＫを受け入れる払出口３４ａを一側に有し他側にカプセルＫの取出口８有した排出路３４を備えている。
【００３４】
払出手段１０は、金銭投入口１８への金銭の投入、スタートボタン２０の操作など、購入操作に基づいて、コントロールユニット２８の出力により電動モーター３２が回転され、個数設定手段６により設定された数のカプセルＫが無作為に払出口３４ａに払出される。カプセルＫの払出数は、パネル５ａに備えた払出個数表示ランプ２６（４個）が設定した個数を点灯し表示される。ケース４から払出したカプセルＫの数は、払出口３４ａに備えたワイヤセンサー３４ｂにより検知されコントロールユニット２８に入力される。コントロールユニット２８は、払出個数表示ランプ２６の点灯数をカプセルＫの払出しに合わせて順次減らすとともに、設定した数が払出されると電動モーター３２の回転を止め払出しを停止させる。
【００３５】
図２とともに図３を参照して説明する。検知手段１２は、排出路３４に設置された検知体である検知センサー１２ａと、検知センサー１２ａの出力に反応する特定カプセルＫＳに入れられた媒体であるアンテナ１２ｂを備えている。
【００３６】
排出路３４は、払出口３４ａから取出口８に向けて、途中に略直角の曲がり部３４ｂを備えた矩形断面の溝状に形成されている。排出路３４の底面は、払出口３４ａの側から取出口８に向けて徐々に下方に傾斜し、払出口３４ａに落ちたカプセルＫは、自重により取出口８に送られる。
【００３７】
曲がり部３４ｂには払出口３４ａに落ちたカプセルＫに正対する壁面３４ｃが形成され、壁面３４ｃの排出路３４の裏側に検知センサー１２ａが設置されている。検知センサー１２ａは、特定カプセルＫＳの種類によって違えて設定した周波数、例えば６ＭＨｚ、８ＭＨｚの電磁波を発信し、特定カプセルＫＳ内のアンテナ１２ｂの共振を受信し、特定カプセルＫＳの種類を検知し、その信号をコントロールユニット２８に出力する。
【００３８】
図１および図２に戻って説明する。報知手段１４は、パネル５ａに備えた発音手段であるスピーカー１４ａとともに、発光手段である点滅ランプ１４ｂをケース４の蓋４ａの上に備えている。検知手段１２により特定カプセルＫＳが検出されたときには、その種類に応じて予め決めた異なる音量、点滅で、所定の時間、スピーカー１４ａおよび点滅ランプ１４ｂが作動される。
【００３９】
コントロールユニット２８は、パネル５ａを開けた基台５の中に、一体に備えたコネクタ端子２８ａの抜き差しにより、着脱を自在に設置されている。
【００４０】
個数設定手段６は、コントロールユニット２８の側面に個数設定用のディップスイッチ６ａを備え、ディップスイッチ６ａの操作により払出個数が、例えば１個、２個、３個、４個のいずれかに選択され設定される。
【００４１】
抽選手段１６は、当選確率を変更可能に設定する、乱数発生回路を備えた確率設定機能を有したもので、コントロールユニット２８の側面に設定用のディップスイッチ１６ａを備えている。ディップスイッチ１６ａの操作により、当選確率が例えば０％、１％、２％、１０％のいずれかに選択され設定される。
【００４２】
抽選手段１６により当選が出た場合には、コントロールユニット２８は、個数表示ランプ２６（４個）を順次に所定の時間繰り返し点灯させ、またスピーカー１４ａによって当選音を奏で、払出手段１０を作動させて、カプセルＫを、例えば１個無償で取出口８に払出す。
【００４３】
個数設定手段６による払出個数の設定、および抽選手段１６による当選確率の設定は、基台５からコントロールユニット２８を取り出して行われる。
【００４４】
図４を参照して説明する。図４は複数のカプセル自動販売機２（Ａ〜Ｚ）を、それぞれのコントロールユニット２８を回線３６によって接続し、一群にまとめ設置した形態を示している。そして、複数台の中に抽選手段１６の当選確率の設定を変更したカプセル自動販売機２を含ませるとともに、いずれかのカプセル自動販売機２（例えばＢ）が当選した時には、他の購入操作中（例えばＣ、Ｚ）を除く全てのカプセル自動販売機２も当選音を奏でようにしたものである。
【００４５】
上述したとおりのカプセル自動販売機２の販売および購入の手順について説明する。
【００４６】
（１）販売者は、ケース４の中に特定カプセルＫＳを含む複数個のカプセルＫを収容するとともに、コントロールユニット２８の個数設定手段６によって購入操作１回当りの払出個数を、例えば１個、２個、３個、４個のいずれかに設定し、抽選手段１６によって当選確率を、例えば０％、１％、２％、１０％のいずれかに設定する。
【００４７】
（２）購入者が、金銭投入口１８に所定の金額を投入するとスタートボタン２０が点滅しスタートボタン２０を押すと、払出手段１０が作動して、無作為に、個数設定手段６により設定された数のカプセルＫを取出口８に払出す。
【００４８】
（３）カプセルＫの払出しにおいて、検知手段１２が特定カプセルの払出しおよび種類、例えば「大当たり」「中当り」を検知すると、報知手段１４のスピーカー１４ａおよび点滅ランプ１４ｂが所定の時間作動し、購入者に特定カプセルの払出しおよび種類を知らせる。
【００４９】
（４）毎回の購入終了ごとに抽選手段１６によって抽選が行われ、当選した時にはスピーカー１４ａが当選音を奏で無償でカプセルＫを所定の数、例えば１個取出口８に払出す。
【００５０】
上述したとおりのカプセル自動販売機２の作用効果について説明する。
【００５１】
カプセル自動販売機２は、以下の構成を備えているので、カプセルの購入および販売を促進させることができる。
【００５２】
購入１回当たりのカプセルの払出数を販売者が変更可能に設定できる。
【００５３】
多数のカプセルの中に複数種類の特定カプセルを含み、その払出しおよび種類を購入者にカプセルを取り出す前に知らせる。
【００５４】
毎回の購入終了ごとに抽選を行い当選の場合には無償のカプセルを払出す。
【００５５】
抽選の当選確率を販売者が変更可能に設定することができる。
【００５６】
カプセル自動販売機複数台を一群に設置し、その中に当選確率の設定を変えたものを含めるとともに、いずれかが当選した時にはそのことを他のカプセル自動販売機も報知する。
【図面の簡単な説明】
【００５７】
【図１】本発明に従って構成されたカプセル自動販売機を正面から見た全体斜視図。
【図２】図１に示すカプセル自動販売機の要部を分解状態で示した斜視図。
【図３】図２に示す搬送路の詳細斜視図。
【図４】図１のカプセル自動販売機を複数台一群に設置する実施例の説明図。
【符号の説明】
【００５８】
２：カプセル自動販売機
４：ケース
５：基台
６：個数設定手段
８：取出口
１０：払出手段
１２：検知手段
１２ａ：検知センサー（検知体）
１２ｂ：アンテナ（媒体）
１４：報知手段
１６：抽選手段
３４：排出路
Ｋ：カプセル
ＫＳ：特定カプセル
【図１】
2007279938.tif 000003
【図２】
2007279938.tif 000004
【図３】
2007279938.tif 000005
【図４】
2007279938.tif 000006